(57)【特許請求の範囲】
【請求項１】
配送先ごとに複数の用紙などを集積して移送手段により整列状態にして順次移送される用紙集積体からなる配送物を、該配送物ごとに包装するにあたり、
重ね代を有して配送物を巻き込み包装する長尺なラッピングシートを配送物の移送方向に送り出し、該ラッピングシートの上に定間隔をとって配送物を移載するとともに、前記ラッピングシートの一方の側辺であって上重ね代となる側辺の重ね合わせ面に沿って、剥離テープにて覆われた粘着手段を連続的に設け、ラッピングシートの移動に伴いながら該ラッピングシートの下重ね代の上に重ね合わせ面に剥離テープで覆われた前記粘着手段を設けている上重ね代が重なるようにして封着されない未封着部分を有した状態で配送物を巻き込み包装し、前記配送物の間ごとにラッピングシートを封着して、該封着部を切断することを特徴とする配送物の連続包装方法。
【発明の詳細な説明】
【０００１】
【発明の属する技術分野】
本発明は用紙などを集積した用紙集積体からなる配送物を連続的に包装する方法に関するものである。
【０００２】
【発明が解決しようとする課題】
従来からデパート業や通信販売業、そして各種金融機関などにおいて顧客に定期的に、或いは不定期にして新規商品、新規サービスなどの紹介を行なう上でパンフレット、カタログなどをその顧客向けに送付するようにしており、送付先が多いなどの場合には連続的な作成処理が行なえるようにするために、搬送ラインを移動できる区分けポケットに対して、カタログやパンフレットなどのように枚葉物や冊子などの単位用紙を供給するとともに、送付先を記載した送付票や案内状、請求書など宛先に応じて予め作成されている切断用紙を供給し、区分けポケットにてこのような用紙などの用紙集積体を配送物としてまとめながら、包装工程へ移送してそれぞれの配送物を、その配送物個々にラッピングシートにて包装したり、封筒に挿入するシステムが採用され、効率の向上が図られるようになってきている。
しかしながら、配送物の包装にあっては収納物が脱落しないように開口部分のない完全な包装が施されるようにしているため、その包装後に新たな用紙などを加える用紙集積構成の変更が生じた場合でも、その追加挿入が行なえないという問題があった。
そこで、本発明は上記事情に鑑み、連続的に配送物を包装する方法であって、封着されない未封着部分を有した状態で連続的な包装が行なえ、追加挿入などした後に閉じることができるようにすることを課題とし、包装後の新たな追加挿入などが簡単に行なえ、用紙集積構成の変更に容易に対処できるようにすることを目的とする。
【０００３】
【課題を解決するための手段】
本発明は上記課題を考慮してなされたもので、配送先ごとに複数の用紙などを集積して移送手段により整列状態にして順次移送される用紙集積体からなる配送物を、該配送物ごとに包装するにあたり、重ね代を有して配送物を巻き込み包装する長尺なラッピングシートを配送物の移送方向に送り出し、該ラッピングシートの上に定間隔をとって配送物を移載するとともに、前記ラッピングシートの一方の側辺であって上重ね代となる側辺の重ね合わせ面に沿って、剥離テープにて覆われた粘着手段を連続的に設け、ラッピングシートの移動に伴いながら該ラッピングシートの下重ね代の上に重ね合わせ面に剥離テープで覆われた前記粘着手段を設けている上重ね代が重なるようにして封着されない未封着部分を有した状態で配送物を巻き込み包装し、前記配送物の間ごとにラッピングシートを封着して、該封着部を切断することを特徴とする配送物の連続包装方法を提供して、上記課題を解消するものである。
【０００４】
【発明の実施の形態】
つぎに本発明を図示の実施の形態に基づいて詳細に説明する。
図１は配送物作成システムにおいて複数枚の用紙などを集積した用紙集積体を配送物１として区分けポケット２から送り出される包装工程に本発明を実施した形態の一例を示すものあり、包装工程の始端において、長尺なラッピングシート３が配送物１の移送方向に連続的に送り出され、集積工程の終端に区分けポケット２が到着するごとに、その区分けポケット２の押し出し動作などにより配送物１が順次、移動している前記ラッピングシート３の上に移載されるようにしている。ラッピングシート３の上に移る配送物１はそれぞれ定間隔を取った状態にして整列状態でそのラッピングシート３の上を並び、ラッピングシート３とともに移動する。
上記ラッピングシート３の幅は、配送物をその移動方向と直交する方向に巻き込んたときに上方側で十分な重ね代、即ち、収納物である用紙が簡単には通り抜けないシート重なり長さを確保して巻き込み包装できる寸法としている。また、このラッピングシート３が送り出されてくる包装工程始端側において、両面粘着性を有する粘着テープをその片面を剥離テープで覆ってなる粘着手段４を連続的に供給できるように設けられていて、その粘着手段４の表出した粘着部分（剥離テープで覆われていない片面側）を、ラッピングシート３で前述の巻き込み包装したときに上重ね代となる一方の側辺に沿って連続的貼り付けるようにしている。
【０００５】
そして、上記ラッピングシート３にあっては、配送物１が内方となるように両側辺側（ラッピングシートの幅方向に対向する二側辺）その配送物１の上へと折り返す折りガイド５を通ることによって折り込まれ、上記粘着手段４を有する上重ね代６が下重ね代７の上となるようにして略筒状に配送物１を巻き込み包装する。このように筒状にして巻き込み包装された状態で移動し、下流側に配置されたカット装置８に配送物１の間が対応位置した時点ごとに、そのカット装置８の働きにより配送物１に掛からない状態にして配送物間隙に対応したラッピングシート３が帯状に溶着され、その中央部分で切断することで、ラッピングシート３で巻き込み包装された配送物をここに分離している。このようにしてラッピングシート３にて巻き込み包装された配送物が順次得られるようにしており、それぞれの包装形態にあっては、上重ね代６が下重ね代７に十分な重ね幅をとって重ね合わされているものであって、その重ね代相互は接合されていない。そして、包装後に収納物として新たな用紙の追加があった場合には前記上重ね代６と下重ね代７との間を開いて挿入すればよく、そののち、粘着手段４における剥離紙を剥ぎとって再封すればよい。
【０００６】
なお、上記筒状に巻き込み包装したラッピングシートを配送物の並びにおける間隙ごとに切断分離する形態としては、図２に示されているように、前記間隙に対応した部分においてラッピングシート３を溶着ａし、その中央を線状に切断したり（イ）、溶着ａされた部分の中央を或る幅を持って切断除去する（ロ）ようにしてもよく、切断分離に際しての切断形態は配送物の大きさ、配送物の送りピッチ、間隙の寸法などに応じて適宜に設定できるものであって、包装内部において配送物と封着部との間に或る程度の余裕空間を形成しておくことが望ましい。
【０００７】
【発明の効果】
以上説明したように、本発明によれば、配送先ごとに複数の用紙などを集積して移送手段により整列状態にして順次移送される用紙集積体からなる配送物を、該配送物ごとに包装するにあたり、重ね代を有して配送物を巻き込み包装する長尺なラッピングシートを配送物の移送方向に送り出し、該ラッピングシートの上に定間隔をとって配送物を移載するとともに、前記ラッピングシートの一方の側辺であって上重ね代となる側辺の重ね合わせ面に沿って、剥離テープにて覆われた粘着手段を連続的に設け、ラッピングシートの移動に伴いながら該ラッピングシートの下重ね代の上に重ね合わせ面に剥離テープで覆われた前記粘着手段を設けている上重ね代が重なるようにして封着されない未封着部分を有した状態で配送物を巻き込み包装し、前記配送物の間ごとにラッピングシートを封着して、該封着部を切断することを特徴とするものである。このように重ね代を有した状態で配送物が包装され、上重ね代に剥離テープで覆われた粘着手段を有していることから、包装後に収納物として新たな用紙の追加があった場合でも重ね代の間を開いて挿入することができ、配送物の構成において追加変更などが生じた場合でも容易に対処できるなど、実用性に優れた効果を奏するものである。
【図面の簡単な説明】
【図１】  本発明に係る配送物の連続包装方法の実施の形態の一例を示す説明図である。
【図２】  配送物ごとのラッピングシートの切断形態を示す説明図である。
【符号の説明】
１…配送物
２…区分けポケット
３…ラッピングシート
４…粘着手段
５…折りガイド
６…上重ね代
７…下重ね代
８…カット装置
【図１】
0003834690.tif 000002
【図２】
0003834690.tif 000003